(57)【要約】【課題】製造コストを低減でき生産性を高めることができる新規構成の雌螺子部材を備えた塗布材押出容器を提供する。【解決手段】雌螺子部材５を、外筒５ａと内筒５ｂとを一体に形成して成るものとし、外筒５ａと内筒５ｂとの間に軸線方向の一方側に開放される環状の空間部５ｓを設け、内筒５ｂが、その内周面に一方側から形成されて軸線方向に延びる雌螺子５ｅと、径方向の内外を連通して軸線方向に延び一方側に開放されたスリット５ｎと、を備える構成とし、当該構成により、雌螺子５ｅに対応する雄螺子及びスリット５ｎに対応する突部を有するコアピンと、空間部５ｓに対応する凸部を備えた中型とを、外筒５ａの外周面に対応する形状を有する外型の一方側から挿入し、離型の際に、中型を引き抜いてからコアピンを引き抜き、内筒５ｂのスリット５ｎにより内筒５ｂが径方向外側に広がるようにし、雌螺子５ｅを破損せずにコアピンの引き抜きを可能とする。【選択図】図３
2008246079.tif 000002
【特許請求の範囲】
【請求項１】
容器内に雌螺子部材及び移動体を備え、容器前部と容器後部との相対回転により、前記雌螺子部材の内周面に設けられた雌螺子及び前記移動体の外周面に設けられた雄螺子より成る螺合部が働き前記移動体が前進し容器内の塗布材が容器先端の開口から出現する塗布材押出容器において、
前記雌螺子部材は、
外筒と、
この外筒と略同軸を成して内側に配置されその一部又は全部が前記外筒内に位置する内筒と、を一体に形成して成るものであり、
前記外筒と前記内筒との間には、軸線方向の一方側に開放される空間部が環状に設けられ、
前記内筒は、
その内周面に設けられ、軸線方向の前記一方側から形成されて軸線方向に延びる前記雌螺子と、
径方向の内外を連通して軸線方向に延び前記一方側に開放されたスリットと、を備えたことを特徴とする塗布材押出容器。
【請求項２】
前記スリットの前記一方側とは軸線方向反対側の他方側の端部、及び、前記外筒及び前記内筒に連設されてこれらを一体とする連結部は、前記雌螺子の前記他方側の端部より、前記他方側に位置していることを特徴とする請求項１記載の塗布材押出容器。
【請求項３】
前記容器前部を構成し、前記塗布材が充填された充填部材と、
前記容器後部を構成し、前記移動体に対し軸線周りに同期して回転すると共に軸線方向に移動可能に係合する操作筒と、を具備し、
前記雌螺子部材の前記外筒の外周面は、前記充填部材と軸線周りに同期して回転する係合部を有することを請求項１又は２記載の塗布材押出容器。
【請求項４】
前記容器前部を構成し、前記塗布材が充填された充填部材と、
前記移動体に対し軸線周りに同期して回転すると共に軸線方向に移動可能に係合し、且つ、前記容器後部に対し軸線周り回転方向と軸線方向に係合し一体化された回転止め部材と、を具備し、
前記雌螺子部材の前記外筒の外周面は、前記充填部材と軸線周りに同期して回転する係合部と、前記回転止め部材と相対回転可能に軸線方向に係合する係合部と、を有することを請求項１又は２記載の塗布材押出容器。
【請求項５】
前記回転止め部材は、前記充填部材を相対回転可能に軸線方向に係合する係合部を有することを特徴とする請求項４記載の塗布材押出容器。
【請求項６】
前記容器後部は、その底部に軸線方向に延びるように突設された係合爪片を有し、
前記回転止め部材は、その底部が、前記係合爪片により前記容器後部に対し軸線方向に係合すると共に軸線周り回転方向に係合することを特徴とする請求項４又は５記載の塗布材押出容器。
【請求項７】
前記回転止め部材を構成する円筒部は、スリットが設けられて可撓性を有することを特徴とする請求項４〜６の何れか一項に記載の塗布材押出容器。
【請求項８】
請求項１〜７の何れか一項に記載の塗布材押出容器を成形する方法であって、
前記外筒と前記内筒との間の環状の前記空間部の金型を前記一方側に引き抜いた後、前記一方側に開放された前記スリットによる弾性を利用し前記雌螺子の金型を前記一方側に引き抜くことを特徴とする塗布材押出容器の成形方法。
【発明の詳細な説明】
【技術分野】
【０００１】
本発明は、塗布材を押し出して使用するための塗布材押出容器及びこれの成形方法に関する。
【背景技術】
【０００２】
従来、塗布用充填物を押し出して使用するための塗布用充填物押出容器として、以下の特許文献１の技術が知られている。この特許文献１に記載の技術は、筒状を成して先端に吐出口を有し塗布用充填物が充填された充填部材と、充填部材と軸線周り回転方向に係合すると共に軸線方向に係合し一体化された本体筒と、外周面に雄螺子を有し前進することにより塗布用充填物を押し出し吐出口から吐出させる移動体と、移動体の雄螺子と螺合する雌螺子を内周面に有し、本体筒と回転方向及び軸線方向に係合し一体化された雌螺子部材（螺子筒）と、移動体の内部形状と回転方向に係合すると共に軸線方向に移動可能に係合する外部形状を有する軸体を備えて移動体と回り止め部を構成し、且つ、本体筒と相対回転可能に軸線方向に係合する操作筒と、を具備し、容器後部を構成する操作筒と容器前部を構成する充填部材とが相対回転されると、雌螺子部材の雌螺子及び移動体の雄螺子より成る螺合部が働き移動体が前進し容器内の塗布材が容器先端の開口から出現するものである。そして、このように雌螺子部材は、移動体の雄螺子と螺合する雌螺子を内周面に有し、移動体を移動させる機能を有するものである。
【０００３】
この雌螺子部材は、円筒形状を成し同軸に配置された外筒及び内筒と、これらを連結する連結部とを一体に備え、内筒は外筒内に配置されると共に外筒に対して軸線方向に短尺とされ、連結部は、円環状を成して外筒の先端部と内筒の先端部を連結し、内筒内には、その内周面の先端側から軸線方向の途中まで延びる雌螺子が形成され、外筒と内筒との間で連結部より後方側に、当該後方側に開放される円環状の空間を有する構成とされている。
【０００４】
そして、このような雌螺子部材は、一般的に、樹脂による射出成形により製造される。この射出成形にあっては、円柱状に構成され、内筒内周面の雌螺子に対応する雄螺子を外周面に有するコアピン（金型；内型）と、円柱状に構成され、外筒内周面と内筒外周面との間の上記空間に対応する円環状の凸部を先端面の周縁に備えると共に内筒内周面の雌螺子より後方側の部分に対応する凸部を先端面の中央に備えた内型（金型）と、外筒外周面に対応する形状を内周面に有する外型（金型）と、を用意し、型間の隙間に溶融樹脂を流し固化後に離型して上記雌螺子部材を得る方法が一般的に採られる。
【特許文献１】特開２００６−１３６４２１号公報
【発明の開示】
【発明が解決しようとする課題】
【０００５】
しかしながら、上記射出成形にあっては、離型の際にコアピンを軸線方向に引き抜くと、所謂無理抜きとなって雌螺子部材の雌螺子が破損してしまう。従って、コアピンを回して抜くことになるが、時間がかかり、製造コストが高くなる。
【０００６】
本発明は、このような課題を解決するために成されたものであり、従来の雌螺子部材と同様な機能を有する一方で、製造コストを低減でき生産性を高めることができる新規構成の雌螺子部材を備えた塗布材押出容器及びこれの成形方法を提供することを目的とする。
【課題を解決するための手段】
【０００７】
本発明による塗布材押出容器は、容器内に雌螺子部材及び移動体を備え、容器前部と容器後部との相対回転により、雌螺子部材の内周面に設けられた雌螺子及び移動体の外周面に設けられた雄螺子より成る螺合部が働き移動体が前進し容器内の塗布材が容器先端の開口から出現する塗布材押出容器において、雌螺子部材は、外筒と、この外筒と略同軸を成して内側に配置されその一部又は全部が外筒内に位置する内筒と、を一体に形成して成るものであり、外筒と内筒との間には、軸線方向の一方側に開放される空間部が環状に設けられ、内筒は、その内周面に設けられ、軸線方向の一方側から形成されて軸線方向に延びる雌螺子と、径方向の内外を連通して軸線方向に延び一方側に開放されたスリットと、を備えたことを特徴としている。
【０００８】
このような塗布材押出容器によれば、内筒内周面の雌螺子に対応する雄螺子及びスリットに対応する突部を外周面に有するコアピン（内型）と、外筒内周面と内筒外周面との間の環状の空間部に対応する環状の凸部を先端部に備えた中型とを、外筒外周面に対応する形状を内周面に有する外型の一方側から挿入し、型間の隙間に溶融樹脂を流し固化後に離型する際に、中型を一方側に引き抜いてからコアピンを一方側に引き抜くことで、内筒のスリットにより内筒が径方向外側に広がり、このとき、コアピンより先に中型を引き抜くことによって内筒が径方向外側に広がることを妨げないため、雌螺子を破損すること無くコアピンを引き抜くことができる。従って、従来の雌螺子部材と同様な機能を有する一方で、製造コストを低減でき生産性を高めることができる新規構成の雌螺子部材を備えた塗布材押出容器を提供できる。
【０００９】
ここで、スリットの一方側とは軸線方向反対側の他方側の端部、及び、外筒及び内筒に連設されてこれらを一体とする連結部は、雌螺子の他方側の端部より、他方側に位置していると、コアピンを一方側に引き抜く際のスリットによる内筒の径方向外側への広がりが促進され、一層雌螺子を破損すること無くコアピンを容易に引き抜くことができる。
【００１０】
また、上記雌螺子部材を備える塗布材押出容器としては、具体的には、容器前部を構成し、塗布材が充填された充填部材と、容器後部を構成し、移動体に対し軸線周りに同期して回転すると共に軸線方向に移動可能に係合する操作筒と、を具備し、雌螺子部材の外筒の外周面は、充填部材と軸線周りに同期して回転する係合部を有する構成が挙げられる。
【００１１】
また、上記雌螺子部材を備える塗布材押出容器としては、具体的には、容器前部を構成し、塗布材が充填された充填部材と、移動体に対し軸線周りに同期して回転すると共に軸線方向に移動可能に係合し、且つ、容器後部に対し軸線周り回転方向と軸線方向に係合し一体化された回転止め部材と、を具備し、雌螺子部材の外筒の外周面は、充填部材と軸線周りに同期して回転する係合部と、回転止め部材と相対回転可能に軸線方向に係合する係合部と、を有する構成が挙げられる。
【００１２】
また、回転止め部材の構成としては、具体的には、充填部材と相対回転可能に軸線方向に係合する係合部を有する構成が挙げられる。
【００１３】
また、容器後部及び回転止め部材としては、具体的には、容器後部は、その底部に軸線方向に延びるように突設された係合爪片を有し、回転止め部材は、その底部が、係合爪片により容器後部に対し軸線方向に係合すると共に軸線周り回転方向に係合する構成が挙げられる。
【００１４】
また、回転止め部材を構成する円筒部は、スリットが設けられて可撓性を有していると、例えばキャップをした状態で容器を先端側から落下する等し外的衝撃が加わった場合に、上記可撓性により衝撃が緩和され、充填部材や回転止め部材の抜け、各部の破損が防止されるようになる。
【００１５】
また、上記塗布材押出容器を成形する方法としては、具体的には、外筒と内筒との間の環状の空間部の金型を一方側に引き抜いた後、一方側に開放されたスリットによる弾性を利用し雌螺子の金型を一方側に引き抜く方法が採用される。これにより、雌螺子を破損すること無くコアピンを引き抜くことができる。
【発明の効果】
【００１６】
このように本発明による塗布材押出容器及び塗布材押出容器の成形方法によれば、従来の雌螺子部材と同様な機能を有する一方で、製造コストを低減でき生産性を高めることができる新規構成の雌螺子部材を備えた塗布材押出容器を提供することが可能となる。
【発明を実施するための最良の形態】
【００１７】
以下、本発明による塗布材押出容器及びこれの成型方法の好適な実施形態について図１〜図２４を参照しながら説明する。なお、各図において、同一の要素には同一符号を付し、重複する説明は省略する。
【００１８】
図１〜図６は、本発明の第一実施形態を、図７〜図２０は、本発明の第二実施形態を、図２１〜図２４は、本発明の第三実施形態を各々示すもので、図１及び図２は、本発明の第一実施形態に係る塗布材押出容器の各状態を示す縦断面図、図３及び図４は、雌螺子部材を示す各図、図５及び図６は、雌螺子部材の成形方法を説明するための各図であり、本実施形態の塗布材押出容器は、塗布材を収容すると共に適宜使用者の操作により押し出し可能とするものである。
【００１９】
ここでは、塗布材として、例えば、リップグロス、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等を用いることが可能である。
【００２０】
図１に示すように、塗布材押出容器１００は、容器前部を構成し、塗布材Ｌが充填される充填領域１ｘを内部に備えた円筒状の本体筒（充填部材）１と、容器後部を構成し、本体筒１を軸線周り回転方向に係合すると共に軸線方向に係合し、相対回転可能且つ軸線方向移動不能に装着した有底円筒状の操作筒２と、本体筒１の先端側に装着されたブラシ（塗布体）７と、を外形構成として具備している。
【００２１】
この容器内には、先端部にピストン３を備え塗布材Ｌを押し出すための棒状の移動体４、この移動体４を移動させると同時に前進のみを許容し且つクリック感を与えるための雌螺子部材５、及び、この雌螺子部材５と協働するクリックバネ部材６が配設されている。
【００２２】
移動体４は、外周面の略全長に亘って雄螺子４ｅを備えると共に、外周面の対向位置に一対軸線方向に延在する凹設溝４ｂを備え、この凹設溝４ｂに、操作筒２の内周面に放射状に内側に突出するように複数設けられた突条２ｂのうちの対向する一対が各々進入し軸線周り回転方向に係合することで、操作筒２に対して同期回転可能且つ軸線方向移動可能とされている。
【００２３】
クリックバネ部材６は、当該クリックバネ部材６より前側に配設された雌螺子部材５と本体筒２の突条２ｂの先端面との間に配設され、その先端面に、前方に突出するラチェット歯６ｒ（詳しくは後述）を、周方向に沿って備えている。
【００２４】
このクリックバネ部材６は、その後半部が、ラチェット歯６ｒを軸線方向前側に付勢するための弾性体６ａとされ、これより前側部分と一体に成形されている。この弾性体６ａは、ここでは、螺旋状スリットを有する圧縮バネとされている。
【００２５】
そして、クリックバネ部材６は、そのラチェット歯６ｒと圧縮バネ６ａとの間の外周面に周方向に沿って複数設けられ軸線方向に所定長延びる突条６ｆが、操作筒２の先端部の内周面に軸線方向に沿って所定長延び周方向に沿って凹凸が密に並設されるローレット２ｆに軸線周り回転方向に係合することで、操作筒２に対して同期回転可能とされている。この状態で、クリックバネ部材６のラチェット歯６ｒは、圧縮バネ６ａにより、前方に付勢された状態とされている。
【００２６】
雌螺子部材５は、本実施形態の特徴を成すもので、例えば合成樹脂等の可撓性材を用い射出成形により一体に形成されたものであり、図３及び図４に示すように、略円筒形状に構成された外筒５ａと、この外筒５ａと略同軸を成して外筒５ａの前半部の内側に配置され略円筒形状に構成された内筒５ｂと、外筒５ａの軸線方向略中央及び内筒５ｂの後端に連設されてこれらを連結する円環状の連結部５ｃと、内筒５ｂ及び連結部５ｃの後端面に周方向に沿って複数設けられ、後方に突出するラチェット歯５ｒ（詳しくは後述）と、を一体に具備している。これにより、外筒５ａと内筒５ｂとの間には、軸線方向の一方側（図示左側）に開放される空間部５ｓが円環状に設けられた状態とされている。
【００２７】
この雌螺子部材５の内筒５ｂには、径方向の内外を連通しその先端が軸線方向の一方側（前側）に開放されて軸線方向に延び内筒５ｂの後端近傍に至るスリット５ｎが、軸線を挟んだ両側に一対設けられている。また、内筒５ｂの内周面には、軸線方向の一方側（前側）から形成されて軸線方向に延びスリット５ｎの後端近傍に至る雌螺子５ｅが、スリット５ｎ，５ｎにより半円弧状に分けられるようにして設けられている。
【００２８】
この雌螺子部材５は、その外筒５ａの外周面に周方向に沿って複数設けられ軸線方向に所定長延びる突条（係合部）５ｄが、図１に示すように、本体筒１の内周面に軸線方向に沿って所定長延び周方向に沿って凹凸が密に並設されるローレット１ｄに軸線周り回転方向に係合することで、本体筒１に対して同期回転可能とされている。この状態で、雌螺子部材５は、クリックバネ部材６の圧縮バネ６ａにより前方に付勢され、本体筒１の内周面の傾斜面１ｂに当接して前方への移動が阻止された状態とされると共に、そのラチェット歯５ｒが、クリックバネ部材６のラチェット歯６ｒと軸線周り回転方向に係合可能（噛合可能）とされている。また、この雌螺子部材５の雌螺子５ｅに対して、移動体４の外周面に設けられた雄螺子４ｅが螺合した状態とされている。
【００２９】
これらのラチェット歯５ｒ，６ｒは、鈍角（又は直角）と鋭角を組み合わせた側面視三角形状に構成され、雌螺子部材５が回転方向に係合する本体筒１と、クリックバネ部材６が回転方向に係合する操作筒２との一方向（移動体４の繰り出し方向）への相対回転のみを許容し、一方向とは反対方向である他方向（移動体４の繰り戻し方向）への相対回転を規制する構成とされている。
【００３０】
そして、雌螺子部材５の雌螺子５ｅ及び移動体４の雄螺子４ｅにより螺合部（螺合機構）５０が構成され、操作筒２の突条２ｂ及び移動体４の凹設溝４ｂにより回り止め部（回り止め機構）６０が構成され、雌螺子部材５のラチェット歯５ｒ、クリックバネ部材６のラチェット歯６ｒ及びクリックバネ部材６の圧縮バネ６ａによりラチェット機構２０が構成されている。
【００３１】
このように構成された塗布材押出容器１００にあっては、使用者により図１に示すキャップ８が本体筒１から取り外され、本体筒１と操作筒２とが一方向に相対回転されると、ラチェット歯５ｒ，６ｒも同期して一方向に相対回転し、使用者にはラチェット歯５ｒ，６ｒ同士が係合する度にクリック感（抵抗感）が与えられながら、移動体４が、図２に示すように、相対回転に従い先端側に順次繰り出され、この繰り出される移動体４の先端のピストン３により、充填領域１ｘの塗布材Ｌは、先端側に順次押し出され、本体筒１の先端部に装着されたパイプ部材９を通り、当該パイプ部材９の先端の開口９ａから出現しブラシ７に吐出されて使用状態とされる。
【００３２】
次に、上記構成を有する雌螺子部材５の成形方法について、図５及び図６を参照しながら説明する。先ず、図５及び図６に示すように、以下の金型、すなわち、円柱状に構成され、内筒５ｂの内周面の雌螺子５ｅに対応し軸線方向に延びる雄螺子７０ａ及びスリット５ｎに対応し軸線方向に延び雄螺子７０ａの外側に配設された凸部７０ｂを先端部の外周面に有する内型である第１のコアピン７０と、外筒５ａの内周面と内筒５ｂの外周面との間の円環状の空間部５ｓに対応する円環状の凸部８０ａを先端部に備えた中型８０と、連結部５ｃより他方側（図示右側）の外筒５ａの内周面に対応する形状を外周面に有すると共に、先端側に、ラチェット歯５ｒに対応するラチェット歯９０ａを有し、且つ、このラチェット歯９０ａより先端側の中央に、内筒５ｂの雌螺子５ｅより他方側の内周面に対応する円板状の凸部９０ｂを有する第２のコアピン９０と、外筒５ａの外周面に対応する形状を内周面に有する外型（不図示）と、を用意する。
【００３３】
なお、図が煩雑になるのを避けるために、図５及び図６にあっては、外型及び樹脂硬化後の成形品が省略されている。
【００３４】
そして、図５に示すように、第１のコアピン７０及び中型８０を外型の一方側から挿入し、第２のコアピン９０を、外型の一方側とは軸線方向反対側の他方側から挿入してコアピン７０，９０同士を突き合わせる。このとき、図６に示すように、第１のコアピン７０の先端面の中央に突設された円柱状の突部７０ｙと第２のコアピン９０の先端面の中央に凹設された横断面円形形状の凹部９０ｙとが嵌合し、コアピン７０，９０同士が正確に位置決めされる。
【００３５】
この状態では、図５に示すように、第１のコアピン７０の雄螺子７０ａの先端面と第２のコアピン９０の凸部９０ｂの先端面が当接し、第１のコアピン７０の雄螺子７０ａの外周面、第２のコアピン９０の凸部９０ｂの外周面、中型８０の凸部８０ａの内周面、ラチェット歯５ｒの先端面の内側部分で囲まれる領域、且つ、第１のコアピン７０の凸部７０ｂを除く領域には、内筒５ｂを成形するための空間が形成され、中型８０の凸部８０ａの先端面と第２のコアピン９０のラチェット歯９０ａとの間には、連結部５ｃ及びラチェット歯５ｒを成形するための空間が形成され、中型８０の凸部８０ａの外周面、第２のコアピン９０の先端部の外周面と外型の内周面との間には、外筒５ａを成形するための空間が形成される。
【００３６】
次いで、型間の隙間である上記空間に溶融樹脂を流し固化後に離型する。この離型の手順は、先ず、中型８０を一方側に引き抜き、その後、図６に示すように、第１のコアピン７０を一方側に引き抜くと共に、第２のコアピン９０を他方側に引き抜き、外型を離型する。
【００３７】
この第１のコアピン７０を一方側に引き抜く際にあっては、既に中型８０が一方側に引き抜かれていて、内筒５ｂが径方向外側に広がることを妨げないため、内筒５ｂのスリット５ｎ（図３及び図４参照）により内筒５ｂが径方向外側に広がり、雌螺子５ｅを破損すること無く第１のコアピン７０を引き抜くことができる。
【００３８】
このように、本実施形態においては、雌螺子部材５が、外筒５ａと、この外筒５ａと略同軸を成して内側に位置する内筒５ｂと、を一体に形成して成るものとされ、外筒５ａと内筒５ｂとの間に、軸線方向の一方側に開放されて環状を成す空間部５ｓと、内筒５ｂの内周面に設けられて、軸線方向の一方側から形成されて軸線方向に延びる雌螺子５ｅと、径方向の内外を連通して軸線方向に延び一方側に開放されたスリット５ｎと、を備える構成とされているため、前述した成形方法、すなわち、外筒５ａと内筒５ｂとの間の環状の空間部５ｓに対応する中型８０を一方側に引き抜いた後、内筒５ｂの一方側に開放されたスリット５ｎによる弾性を利用して、内筒５ｂの雌螺子５ｅに対応する雄螺子７０ａを有する第１のコアピン７０を一方側に引き抜く方法が採用され、このように、第１のコアピン７０より先に中型８０を引き抜くことによって、内筒５ｂが径方向外側に広がることを妨げずに雌螺子５ｅを破損すること無く第１のコアピン７０を引き抜くことができ、従って、製造コストを低減でき生産性を高めることができる新規構成の雌螺子部材５を備えた塗布材押出容器１００を提供できる。
【００３９】
また、雌螺子部材５にあっては、図４に示すように、スリット５ｎの他方側の端部、及び、外筒５ａ及び内筒５ｂに連設されてこれらを一体とする連結部５ｃが、雌螺子５ｅの他方側の端部より他方側に位置しているため、第１のコアピン７０を一方側に引き抜く際のスリット５ｎによる内筒５ｂの径方向外側への広がりが促進され、一層雌螺子５ｅを破損すること無く第１のコアピン７０を容易に引き抜くことができる。
【００４０】
なお、本実施形態では、内筒５ｂの全部が外筒５ａ内に位置しているが、その一部が外筒５ａ内に位置していても良い。
【００４１】
また、ラチェット歯５ｒ，６ｒの形状を周方向に沿って例えば登り傾斜と下り傾斜を有する山型のクリック歯とし、移動体４を繰り出す一方向への相対回転に加えて移動体４を繰り戻す他方向への相対回転を許容するクリック機構とすることも可能である。この場合も、他方向への相対回転時に、クリック歯同士が回転方向の係合及びその解除を繰り返し、クリック感が生じることになる。
【００４２】
図７及び図８は、本発明の第二実施形態に係る塗布材押出容器の各状態を示す縦断面図、図９及び図１０は、本体筒及び回転止め部材を示す各図、図１１及び図１２は、回転止め部材を示す各図、図１３〜図１６は、雌螺子部材を示す各図、図１７及び図１８は、雌螺子部材の成形方法を説明するための各図である。
【００４３】
図７及び図８に示すように、塗布材押出容器２００は、容器後部を構成する本体筒１０１と、容器前部を構成する充填部材１０４とを外形構成として具備し、容器内に、回転止め部材１１６、雌螺子部材１０５、移動体１０６、ピストン１０７を概略備えている。
【００４４】
具体的には、本体筒１０１は、図９に示すように、有底筒状に構成され、その底部に、前方に向かって突出する係合爪片１０１ａを備えている。この係合爪片１０１ａは、本体筒１０１の底部に軸線周り周方向に沿って四等配の位置に設けられ、この係合爪片１０１ａの先端部には、半径方向外側に膨出する爪部１０１ｃが回転止め部材１１６を装着するためのものとして設けられている。係合爪片１０１ａの根元部分の半径方向外側の底部には、半径方向外側に広がると共に軸線方向後方へ向かって凹む凹部１０１ｂが設けられ、係合爪片１０１ａは、半径方向に可撓性を有する構成とされている。
【００４５】
回転止め部材１１６は、例えば合成樹脂等の可撓性材を用い射出成形により一体に形成されたものであり、図１１及び図１２に示すように、有底筒状に構成された本体部１１６ｘと、この本体部１１６ｘの底部中央に、先端側に向かうように立設された軸体１１６ｙと、を備える構成とされている。
【００４６】
本体部１１６ｘの後半部は、円筒部１１６ｚとされ、その底部１１６ｒには、本体筒１０１の係合爪片１０１ａの進入を可能とすると共に、係合爪片１０１ａを回転止め部材１１６の軸線周り回転方向に係合するための開口１１６ａが、係合爪片１０１ａに対応する位置に開口されている。
【００４７】
また、本体部１１６ｘには、その底部１１６ｒの周縁の位置であって対向する一対の開口１１６ａ，１１６ａを両側から挟む位置から、平行状態で内方に延びるスリット１１６ｂが四個設けられると共に、隣接するスリット１１６ｂに挟まれた底部部分１１６ｃを円筒部１１６ｚから軸線方向に離隔するように底部部分１１６ｃより前側に設けられて当該隣接するスリット１１６ｂに連設される切欠状部１１６ｄを有している。この底部部分１１６ｃは、底部１１６ｒ周縁における底部部分１１６ｃ及びスリット１１６ｂを除く部分１１６ｐによって軸線方向に可撓性を有するように支持された半島部とされる。この半島部１１６ｃの後端面の周縁部には、後方に突出する円弧状凸部１１６ｓが設けられている。
【００４８】
また、図１２に示すように、本体部１１６ｘの円筒部１１６ｚの軸線方向中程の内周面には、内側（軸心側）に突出し軸線方向に延びる突条であるクリック歯１１６ｆが、周方向に沿って複数設けられている。このクリック歯１１６ｆは、雌螺子部材１０５と軸線周り回転方向にクリック係合するためのものである。
【００４９】
また、本体部１１６ｘの前半部の後部周壁には、その内周面に、前側の円環状段差面１１６ｇが設けられると共に、この前側の円環状段差面１１６ｇより後方の位置に後側の円環状段差面１１６ｈが設けられ、本体部１１６ｘの内周面は、円環状段差面１１６ｇ，１１６ｈを介して後方に行くに従い小径とされている。また、本体部１１６ｘの前半部の後部周壁には、内外を連通する前側の開口１１６ｉが一対対向して設けられると共に、この一対の前側の開口１１６ｉの後側に離間する位置に内外を連通する後側の開口１１６ｊが一対対向して設けられている。前側の開口１１６ｉは、その後端面が前側の円環状段差面１１６ｇの一部と面一で繋がるように開口され、後側の開口１１６ｊは、その後端面が後側の円環状段差面１１６ｈの一部と面一で繋がるように開口されている。
【００５０】
また、前側の開口１１６ｉの先端側の内縁に沿う周壁部分には、内側（軸心側）に張り出す前側の円弧状凸部（係合部）１１６ｋが設けられ、後側の開口１１６ｊの先端側の内縁に沿う周壁部分には、内側に張り出す後側の円弧状凸部１１６ｍが設けられている。前側の円弧状凸部１１６ｋは、充填部材１０４を相対回転可能に軸線方向に係合するためのものであり、後側の円弧状凸部１１６ｍ及び後側の円環状段差面１１６ｈは、雌螺子部材１０５を相対回転可能に軸線方向に係合するためのものである。
【００５１】
軸体１１６ｙは、周方向に沿って複数設けられ軸線方向に延びる突条１１６ｅが回り止め部（回り止め機構）１５０の一方を構成する回り止めとされる。
【００５２】
そして、図９に示すように、本体筒１０１に対して、回転止め部材１１６が内挿され、図１０に示すように、本体筒１０１の底部に対して回転止め部材１１６の円弧状凸部１１６ｓが当接した状態で、図９及び図１０に示すように、本体筒１０１の係合爪片１０１ａが内側（軸心側）に撓みながら爪部１０１ｃが回転止め部材１１６の開口１１６ａに進入し当該爪部１０１ｃが回転止め部材１１６の開口１１６ａを通過すると係合爪片１０１ａはその可撓性に応じて元の位置に戻り、爪部１０１ｃが、回転止め部材１１６の底部１１６ｒの前側の面に密着して回転止め部材１１６を軸線方向に係合すると共に係合爪片１０１ａが回転止め部材１１６の開口１１６ａに軸線周り回転方向に係合し、これにより、回転止め部材１１６は、本体筒１０１に同期回転可能且つ軸線方向離脱不能に装着されて一体化されている。
【００５３】
ここで、回転止め部材１１６の半島部１１６ｃは、回転止め部材１１６に切欠状部１１６ｄ及びスリット１１６ｂを設けることで、軸線方向に可撓性を有する構成であるため、本体筒１０１の爪部１０１ｃにより本体筒１０１側にガタツキ無く押えられている。
【００５４】
移動体１０６は、図７に示すように、略円筒形状に構成され、先端側の外周面に鍔部１０６ａを備えると共に、この鍔部１０６ａより後側の外周面に、螺合部（螺合機構）１０９の一方を構成する雄螺子１０６ｂを軸線方向に沿って有し、且つ、内周面に、放射状に内側に突出するように複数配置されて軸線方向に延びる突条１０６ｄを、回り止め部（回り止め機構）１５０の他方を構成する回り止めとして有している。
【００５５】
この移動体１０６は、回転止め部材１１６の軸体１１６ｙに外挿され、その突条１０６ｄが回転止め部材１１６の軸体１１６ｙの突条１１６ｅ，１１６ｅ間に進入して軸線周り回転方向に係合し、回転止め部材１１６に同期回転可能且つ軸線方向移動可能に装着されている。
【００５６】
ピストン１０７は、移動体１０６の先端部にピストン支持部材１０８を介して軸線方向移動不能に装着されている。
【００５７】
雌螺子部材１０５は、本実施形態の特徴を成すもので、例えば合成樹脂等の可撓性材を用い射出成形により一体に形成されたものであり、図１３〜図１６に示すように、略円筒形状に構成された外筒１０５ａと、この外筒１０５ａと略同軸を成して外筒１０５ａの先端側の内側に配置され略円筒形状に構成された内筒１０５ｂと、外筒１０５ａの先端側及び内筒１０５ｂの後端に連設されてこれらを連結する円環状の連結部１０５ｘと、を一体に具備している。これにより、外筒１０５ａと内筒１０５ｂとの間には、軸線方向の一方側（図示左側）に開放される空間部１０５ｙが円環状に設けられた状態とされている。
【００５８】
雌螺子部材１０５の外筒１０５ａの先端部の外周面には、軸線方向に延びる突条（係合部）１０５ｆが、充填部材１０４に軸線周り回転方向に係合するためのものとして周方向に沿って複数設けられている。
【００５９】
また、雌螺子部材１０５の内筒１０５ｂには、径方向の内外を連通しその先端が軸線方向の一方側（前側）に開放されて軸線方向に延びその後端が他方側に開放されたスリット１０５ｎが、軸線を挟んだ両側に一対設けられている。このスリット１０５ｎ，１０５ｎより二分割された内筒１０５ｂの前半部の内周面には、螺合部（螺合機構）１０９の他方を構成する雌螺子１０５ｊが軸線方向の一方側から形成され、スリット１０５ｎ，１０５ｎにより半円弧状に分けられるようにして設けられている。
【００６０】
また、雌螺子部材１０５の外筒１０５ａの軸線方向中程の外周面には、回転止め部材１１６の後側の円弧状凸部１１６ｍ及び後側の円環状段差面１１６ｈに軸線方向に係合するための鍔部１０５ｃが設けられ、この鍔部１０５ｃより後側の外周面には、図７に示すＯリング１１１を装着するための溝部１０５ｍが設けられている。
【００６１】
また、雌螺子部材１０５の外筒１０５ａの溝部１０５ｍより後側は、クリック歯１０５ｓを有する円筒部１０５ｔとされている。具体的には、軸線方向に延びその横断面形状が登り傾斜と下り傾斜を有する山型とされたクリック歯１０５ｓを有するクリック歯ベース１０５ｑが、円筒部１０５ｔの周方向に沿って複数設けられた開口１０５ｐにそれぞれ配置されて、開口１０５ｐ周面から突出する支持部１０５ｒにより半径方向に可撓性を有するように支持される構成とされている。
【００６２】
そして、この雌螺子部材１０５は、図７に示すように、移動体１０６に外挿されると共に回転止め部材１１６に内挿され、その内筒１０５ｂの雌螺子１０５ｊが移動体１０６の雄螺子１０６ｂに螺合した状態で、その内筒１０５ｂの先端面が移動体１０６の鍔部１０６ａの後端面に突き当てられ、その外筒１０５ａの鍔部１０５ｃが回転止め部材１１６の後側の円弧状凸部１１６ｍ及び後側の円環状段差面１１６ｈとの間に進入し回転止め部材１１６に軸線方向に係合することで、回転止め部材１１６に相対回転可能且つ軸線方向移動不能に装着されている。この状態で、雌螺子部材１０５のクリック歯１０５ｓと回転止め部材１１６のクリック歯１１６ｆとは、軸線周り回転方向にクリック係合可能な状態とされている。すなわち、雌螺子部材１０５の円筒部１０５ｔ及び回転止め部材１１６の円筒部１１６ｚは、軸線方向に重なり合ってクリック歯１０５ｓ，１１６ｆ同士がクリック係合するオーバーラップ区間を軸線方向に有する構成とされている。これらのクリック歯１０５ｓ，１１６ｆは、本体筒１０１と充填部材１０４との一方向及び他方向への相対回転を許容するものである、
【００６３】
そして、雌螺子部材１０５の溝部１０５ｍにはＯリング１１１が嵌着され、このＯリング１１１により、雌螺子部材１０５に連結される充填部材１０４と回転止め部材１１６に連結される本体筒１０１には、より良い回転抵抗が発生する。
【００６４】
充填部材１０４は、円筒形状を成すと共に先端が閉じられる形状とされ、内部の充填領域１０４ｘに塗布材Ｌが充填されている。この充填部材１０４の先端部の外面が塗布部とされ、この塗布部に、内外を連通する吐出口（開口）１０４ｃが設けられている。
【００６５】
この充填部材１０４の後端部には、回転止め部材１１６の前側の円弧状凸部１１６ｋに軸線方向に係合するための環状溝部１０４ａが設けられている。また、充填部材１０４の後端部の内周面には、軸線方向先端側へ所定長に亘って延び周方向に沿って凹凸が密に並設されるローレット１０４ｅが、雌螺子部材１０５の突条１０５ｆに軸線周り回転方向に係合するものとして設けられている。
【００６６】
この充填部材１０４は、その後部が、回転止め部材１１６に内挿されると共に雌螺子部材１０５の先端部に外挿され、そのローレット１０４ｅに雌螺子部材１０５の突条１０５ｆが軸線周り回転方向に係合することで、雌螺子部材１０５に対し同期回転可能に装着されると共に、その環状溝部１０４ａが回転止め部材１１６の前側の円弧状凸部１１６ｋに対し軸線方向に係合することで、回転止め部材１１６に相対回転可能且つ軸線方向移動不能に装着されている。すなわち、充填部材１０４及び雌螺子部材１０５は、本体筒１０１に対し相対回転可能且つ軸線方向移動不能とされている。そして、回転止め部材１１６の先端には、キャップ１１０が着脱可能に装着され、このキャップ１１０により充填部材１０４が覆われ保護されている。
【００６７】
そして、雌螺子部材１０５の雌螺子１０５ｊ及び移動体１０６の雄螺子１０６ｂにより螺合部（螺合機構）１０９が構成され、回転止め部材１１６の突条１１６ｅ及び移動体１０６の突条１０６ｄにより回り止め部（回り止め機構）１５０が構成され、雌螺子部材１０５のクリック歯１０５ｓ、回転止め部材１１６のクリック歯１１６ｆ及び回転止め部材１１６の可撓性を有する支持部１０５ｒによりクリック機構が構成されている。
【００６８】
このように構成された塗布材押出容器２００にあっては、使用者によりキャップ１１０が取り外されて本体筒１０１と充填部材１０４とが繰り出し方向に相対回転されると、螺合部１０９の螺合作用が作動し、回り止め部１５０との協働により、図８に示すように、移動体１０６及びピストン１０７が前進し、充填部材１０４の吐出口１０４ｃから塗布材Ｌが吐出し出現して使用状態にされる。
【００６９】
この移動体１０６の前進時にあっては、雌螺子部材１０５のクリック歯１０５ｓと回転止め部材１１６のクリック歯１１６ｆが回転方向の係止及びその解除を繰り返して、クリック感が生じ、相対回転の度合いや移動体１０６の前進具合が使用者に感知され、当該クリック感により塗布材Ｌを適度に押し出すことができ塗布材Ｌの出し過ぎが防止される。
【００７０】
使用後にあって、本体筒１０１と充填部材１０４とが繰り戻し方向へ相対回転されると、螺合部１０９の螺合作用が働き、回り止め部１５０との協働により、移動体１０６及びピストン１０７が後退する。
【００７１】
この移動体１０６の後退時にあっては、雌螺子部材１０５のクリック歯１０５ｓと回転止め部材１１６のクリック歯１１６ｆが回転方向の係止及びその解除を繰り返して、クリック感が生じ、相対回転の度合いや移動体６の後退具合が使用者に感知され、当該クリック感により移動体１０６の戻し過ぎが防止される。なお、この移動体１０６の後退により、充填部材１０４の吐出口１０４ｃより内側に所定の空間が形成される。
【００７２】
そして、充填部材１０４内に塗布材Ｌが残っている場合には、この塗布材Ｌを使用状態とすべく、使用者により再度本体筒１０１と充填部材１０４とが繰り出し方向に相対回転され、以降は上記と同様な動作となり、このような動作が繰り返される。
【００７３】
次に、上記構成を有する雌螺子部材１０５の成形方法について、図１７及び図１８を参照しながら説明する。先ず、図１７及び図１８に示すように、以下の金型、すなわち、円柱状に構成され、内筒１０５ｂの内周面の雌螺子１０５ｊに対応し軸線方向に延びる半円弧状の雄螺子１７０ａ，１７０ａ、及び、これらの雄螺子１７０ａ，１７０ａの周方向間に位置してスリット１０５ｎに対応し軸線方向に延びる凸部１７０ｂを、先端部の外周面に有する内型である第１のコアピン１７０と、外筒１０５ａの内周面と内筒１０５ｂの外周面との間の円環状の空間部１０５ｙに対応する円環状の凸部１８０ａを先端部に備えた中型１８０と、連結部１０５ｘより他方側（図示右側）の外筒１０５ａの内周面に対応する形状を外周面に有すると共に、先端側の中央に、内筒１０５ｂの雌螺子１０５ｊより他方側の内周面に対応する円柱状の凸部１９０ａを有すると共に、この凸部１９０ａの外周面に設けられてスリット１０５ｎに対応し軸線方向に延びる凸部１９０ｂを有する第２のコアピン１９０と、外筒１０５ａの外周面に対応する形状を内周面に有する外型（不図示）と、を用意する。
【００７４】
なお、図が煩雑になるのを避けるために、図１７及び図１８にあっては、外型及び樹脂硬化後の成形品が省略されている。
【００７５】
そして、図１７に示すように、第１のコアピン１７０及び中型１８０を外型の一方側から挿入し、第２のコアピン１９０を、外型の一方側とは軸線方向反対側の他方側から挿入してコアピン１７０，１９０同士を突き合わせる。このとき、図１８に示すように、第１のコアピン１７０の先端面の中央に凹設された横断面円形形状の凹部１７０ｘと第２のコアピン１９０の先端面の中央に突設された円柱状の突部１９０ｘとが嵌合し、コアピン１７０，１９０同士が正確に位置決めされる。
【００７６】
この状態では、図１７に示すように、第１のコアピン１７０の雄螺子１７０ａの先端面と第２のコアピン１９０の凸部１９０ａの先端面とが当接すると共に、第１のコアピン１７０の凸部１７０ｂの先端面と第２のコアピン１９０の凸部１９０ｂの先端面とが当接し、第１のコアピン１７０の雄螺子１７０ａの外周面、第２のコアピン１９０の凸部１９０ａの外周面、中型１８０の凸部１８０ａの内周面で囲まれる領域、且つ、第１のコアピン１７０の凸部１７０ｂ及び第２のコアピン１９０の凸部１９０ｂを除く領域には、内筒１０５ｂを成形するための空間が形成され、中型１８０の凸部１８０ａの先端面と第２のコアピン１９０との間には、連結部１０５ｘを成形するための空間が形成され、中型１８０の凸部１８０ａの外周面、第２のコアピン１９０の外周面と外型の内周面との間には、外筒１０５ａを成形するための空間が形成される。
【００７７】
次いで、型間の隙間である上記空間に溶融樹脂を流し固化後に離型する。この離型の手順は、第一実施形態と同様に、中型１８０を一方側に引き抜き、その後、図１８に示すように、第１のコアピン１７０を一方側に引き抜くと共に、第２のコアピン１９０を他方側に引き抜き、外型を離型する。
【００７８】
そして、第一実施形態と同様に、第１のコアピン１７０を一方側に引き抜く際にあっては、既に中型１８０が一方側に引き抜かれていて、内筒１０５ｂが径方向外側に広がることを妨げないため、内筒１０５ｂのスリット１０５ｎ（図１５参照）により内筒１０５ｂが径方向外側に広がり、雌螺子１０５ｊを破損すること無く第１のコアピン１７０を引き抜くことができる。
【００７９】
このように、本実施形態においては、雌螺子部材１０５が、外筒１０５ａと、この外筒１０５ａと略同軸を成して内側に位置する内筒１０５ｂと、を一体に形成して成るものとされ、外筒１０５ａと内筒１０５ｂとの間に、軸線方向の一方側に開放されて環状を成す空間部１０５ｙと、内筒１０５ｂの内周面に設けられて、軸線方向の一方側から形成されて軸線方向に延びる雌螺子１０５ｊと、径方向の内外を連通して軸線方向に延び一方側に開放されたスリット１０５ｎと、を備える構成とされているため、前述した成形方法、すなわち、外筒１０５ａと内筒１０５ｂとの間の環状の空間部１０５ｙに対応する中型１８０を一方側に引き抜いた後、内筒１０５ｂの一方側に開放されたスリット１０５ｎによる弾性を利用して、内筒１０５ｂの雌螺子１０５ｊに対応する雄螺子１７０ａを有する第１のコアピン１７０を一方側に引き抜く方法が採用され、このように、第１のコアピン１７０より先に中型１８０を引き抜くことによって、内筒１０５ｂが径方向外側に広がることを妨げずに雌螺子１０５ｊを破損すること無く第１のコアピン１７０を引き抜くことができ、従って、製造コストを低減でき生産性を高めることができる新規構成の雌螺子部材１０５を備えた塗布材押出容器２００を提供できる。
【００８０】
また、雌螺子部材１０５にあっては、図１４に示すように、スリット１０５ｎの他方側の端部、及び、外筒１０５ａ及び内筒１０５ｂに連設されてこれらを一体とする連結部１０５ｘが、雌螺子１０５ｊの他方側の端部より他方側に位置しているため、第１のコアピン１７０を一方側に引き抜く際のスリット１０５ｎによる内筒１０５ｂの径方向外側への広がりが促進され、一層雌螺子１０５ｊを破損すること無く第１のコアピン１７０を容易に引き抜くことができる。
【００８１】
なお、本実施形態では、内筒１０５ｂの一部（先端部より後側の部分）が外筒１０５ａ内に位置し内筒１０５ｂの先端部が外筒１０５ａから突出しているが、内筒１０５ｂの全部が外筒１０５ａ内に位置していても良い。
【００８２】
また、クリック歯１０５ｓ，１１６ｆを、第一実施形態のようなラチェット歯とし、移動体４を繰り出す一方向への相対回転のみを許容するようにしても良い。
【００８３】
図１９は、他の回転止め部材を示す斜視図、図２０は、図１９に示す回転止め部材の破断正面図である。
【００８４】
この回転止め部材１２６が、図１１及び図１２に示した回転止め部材１１６と違う点は、本体部１１６ｘの円筒部１１６ｚに、螺旋状スリット１２６ａを設けてバネ１２６ｂを構成し、その底部１２６ｒを可撓性を有するように支持した点である。なお、この回転止め部材１２６は、第二実施形態と同様に、例えば合成樹脂等の可撓性材を用い射出成形により一体に形成されている。
【００８５】
この回転止め部材１２６を有する塗布材押出容器によれば、例えばキャップ１１０をした状態で容器を先端側から落下する等し外的衝撃が加わった場合に、上記バネ１２６ｂによる引張方向又は圧縮方向の可撓性によって衝撃が緩和され、充填部材１０４や回転止め部材１２６の抜け、塗布材Lの漏れ、各部の破損が防止される。
【００８６】
ところで、ここまでは、塗布材Ｌを、例えば、液状や、ゼリー状、ゲル状、ペースト状を含む練り状等の半固体や軟固形状等とした場合に、特に好適な充填物押出容器１００，２００について述べてきたが、以下の第三実施形態では、塗布材Ｍを、例えば、リップスティック、リップグロス、アイライナー、アイカラー、アイブロー、リップライナー、チークカラー、コンシーラー、美容スティック、ヘアーカラー等を始めとした種々の棒状化粧料、筆記用具等の棒状の芯等とした場合に好適であり、特に、非常に軟らかい（半固体状、軟固形状、軟質状、ゼリー状、ムース状の）棒状体とした場合に、特に好適である塗布材押出容器３００について述べる。
【００８７】
図２１及び図２２は、本発明の第三実施形態に係る塗布材押出容器の各状態を示す縦断面図、図２３及び図２４は、雌螺子部材を示す各図である。
【００８８】
この実施形態の塗布材押出容器３００は、図２１に示すように、容器前部を構成し、上記塗布材Ｍが充填される充填領域２０１ｘを内部に備えた円筒状の充填部材（先筒）２０１と、この充填部材２０１を軸線周り回転方向に係合すると共に軸線方向に係合し、同期回転可能且つ軸線方向移動不能に装着した円筒状の本体筒２１０と、容器後部を構成して、本体筒２１０を軸線方向に係合し、相対回転可能且つ軸線方向移動不能に装着した有底円筒状の操作筒２０２と、を外形構成として具備している。
【００８９】
そして、充填部材２０１は、内部の充填領域２０１ｘに塗布材Ｍを密接状態で摺動可能に収容して成る。この塗布材Ｍは、充填部材２０１内に溶融状態の形成材料を注入し冷却固化することで充填部材２０１内に充填したものであっても、予め製造された塗布材Ｍを充填部材２０１に密接状態で嵌挿し充填したものであっても良い。
【００９０】
この容器内には、先端部にピストン２０３を備え塗布材Ｍを押し出すための移動体２０４、この移動体２０４を前進／後退させるための雌螺子部材２０５、及び、移動体２０４の前進／後退の際にクリック感を与えるためのクリックバネ部材２０６が配設されている。
【００９１】
移動体２０４は、円筒状を成し、外周面の略全長に亘って雄螺子２０４ｅを備えている。また、この移動体２０４は、その内周面に放射状に内側に突出するように複数設けられた突条２０４ｂが、操作筒２０２の底部に立設された軸体２０２ｃのその外周面に放射状に外側に突出するように複数設けられた突条２０２ｂ、２０２ｂ間に進入し軸線周り回転方向に係合することで、操作筒２０２に対して同期回転可能且つ軸線方向移動可能とされている。
【００９２】
クリックバネ部材２０６は、当該クリックバネ部材２０６より前側に位置する雌螺子部材２０５の内筒２０５ｂ（後述）と、操作筒２０２の内周面に放射状に内側に突出するように複数設けられた突条２０２ａのとの間に挟まれるようにして配設されている。このクリックバネ部材２０６は、その後端面に、後方に突出するクリック歯２０６ｒを、周方向に沿って備えると共に、このクリック歯２０６ｒより前側部分が、クリック歯２０６ｒを軸線方向後側に付勢するための弾性体２０６ａとされ、クリック歯２０６ｒと一体に成形されている。この弾性体２０６ａは、ここでは、螺旋状スリットを有する圧縮バネとされている。
【００９３】
そして、クリックバネ部材２０６は、そのクリック歯２０６ｒが、圧縮バネ２０６ａにより後方に付勢され、操作筒２０２の突条２０２ａの先端を利用したクリック歯２０２ｒと軸線周り回転方向に係合可能（噛合可能）とされている。これらのクリック歯２０２ｒ，２０６ｒは、第二実施形態と同様な機能を有する。
【００９４】
雌螺子部材２０５は、本実施形態の特徴を成すもので、例えば合成樹脂等の可撓性材を用い射出成形により一体に形成されたものであり、図２３及び図２４に示すように、略円筒形状に構成された外筒２０５ａと、この外筒２０５ａと略同軸を成して外筒２０５ａの先端側の内側に配置され略円筒形状に構成された内筒２０５ｂと、外筒２０５ａの先端側及び内筒２０５ｂの後端に連設されてこれらを連結する円環状の連結部２０５ｃと、を一体に具備している。これにより、外筒２０５ａと内筒２０５ｂとの間には、軸線方向の一方側（図示左側）に開放される空間部２０５ｓが円環状に設けられた状態とされている。
【００９５】
この雌螺子部材２０５の内筒２０５ｂには、径方向の内外を連通しその先端が軸線方向の一方側（前側）に開放されて軸線方向に延びその後端が他方側に開放されたスリット２０５ｎが、軸線を挟んだ両側に一対設けられている。このスリット２０５ｎ，２０５ｎより二分割された内筒２０５ｂの内周面には、軸線方向の一方側から後端部に至る雌螺子２０５ｅが、スリット２０５ｎ，２０５ｎにより半円弧状に分けられるようにして設けられている。
【００９６】
この雌螺子部材２０５は、その外筒２０５ａの外周面の先端側から後端部に至るまでに亘って周方向に沿って複数設けられた突条（係合部）２０５ｄが、図２１に示すように、本体筒２１０の内周面に軸線方向に沿って所定長延び周方向に沿って凹凸が密に並設されるローレット２１０ｄに軸線周り回転方向に係合することで、本体筒２１０に対して同期回転可能とされていると共に、図２３及び図２４に示すように、その外筒２０５ａの突条２０５より後側の外周面に設けられた環状溝部２０５ｇが、図２１に示すように、本体筒２１０のローレット２１０ｄより後側の内周面に設けられた環状突部２１０ｇに軸線方向に係合することで、本体筒２１０に対して軸線方向移動不能とされている。
【００９７】
また、この雌螺子部材２０５は、図２４に示すように、その外筒２０５ａの後端部の内周面に周方向に沿って複数設けられた突条２０５ｆが、図２１に示すように、クリックバネ部材２０６のクリック歯２０６ｒと圧縮バネ２０６ａとの間の外周面に周方向に沿って複数設けられ軸線方向に所定長延びる突条２０６ｆ，２０６ｆ間に進入し軸線周り回転方向に係合することで、クリックバネ部材２０６を同期回転可能とし、これにより、雌螺子部材２０５及びクリックバネ部材２０６は、充填部材２０１及び本体筒２１０に対して同期回転可能とされている。
【００９８】
この状態で、雌螺子部材２０５の雌螺子２０５ｅに対して、移動体２０４の雄螺子２０４ｅが螺合した状態とされている。
【００９９】
そして、雌螺子部材２０５の雌螺子２０５ｅ及び移動体２０４の雄螺子２０４ｅにより螺合部（螺合機構）２５０が構成され、操作筒２０２の突条２０２ｂ及び移動体２０４の突条２０４ｂにより回り止め部（回り止め機構）２６０が構成され、操作筒２０２のクリック歯２０２ｒ、クリックバネ部材２０６のクリック歯２０６ｒ及びクリックバネ部材２０６の圧縮バネ２０６ａによりクリック機構２２０が構成されている。
【０１００】
このように構成された塗布材押出容器３００にあっては、使用者により図２１に示すキャップ２０８が充填部材２０１から取り外され、充填部材２０１又は本体筒２１０と操作筒２０２とが一方向に相対回転されると、使用者にはクリック機構２２０によるクリック感が与えられながら、移動体２０４が、図２２に示すように、相対回転に従い先端側に順次繰り出され、この繰り出される移動体２０４の先端のピストン２０３により、充填領域２０１ｘの塗布材Ｍは、先端側に順次押し出され、充填部材２０１の先端の開口２０１ａから出現し使用状態とされる。
【０１０１】
使用後にあって、充填部材２０１又は本体筒２１０と操作筒２０２とが他方向に相対回転されると、移動体２０６及びピストン２０３が後退する。このとき、充填部材２０１の内周面にピストン２０３及び塗布材Ｍが密着し、塗布材Ｍとピストン２０３とが密着しているため、ピストン２０３の後退に従ってピストン２０３と塗布材Ｍとの間に減圧による吸引作用（密着を維持しようとする作用）が働き、塗布材Ｍが充填部材２０１内で引き戻されて後退し、この移動体２０４の後退時にあっても、使用者には、クリック機構２２０によるクリック感が与えられる。なお、特に塗布材Ｍが、例えば軟質状やゼリー状やムース状の棒状体の場合には、当該塗布材Ｍが充填部材２０１、ピストン２０３に密着しやすいため、上記吸引作用が一層良好に働くことになる。
【０１０２】
このような第三実施形態の塗布材押出容器３００にあっても、雌螺子部材２０５が、外筒２０５ａと、この外筒２０５ａと略同軸を成して内側に位置する内筒２０５ｂと、を一体に形成して成るものとされ、外筒２０５ａと内筒２０５ｂとの間に、軸線方向の一方側に開放されて環状を成す空間部２０５ｓと、内筒２０５ｂの内周面に設けられて、軸線方向の一方側から形成され軸線方向に延びる雌螺子２０５ｅと、径方向の内外を連通して軸線方向に延び一方側に開放されたスリット２０５ｎと、を備える構成とされているため、前述した第一、第二実施形態で説明した成形方法を採用でき、従って、第一、第二実施形態の同様な作用・効果を奏する。
【０１０３】
なお、本実施形態では、内筒２０５ｂの全部が外筒２０５ａ内に位置しているが、その一部が外筒２０５ａ内に位置していても良い。
【０１０４】
因みに、第一実施形態〜第三実施形態にあっては、雌螺子部材５，１０５，２０５の回転止めを構成する突条５ｄ，１０５ｆ，２０５ｄと、雌螺子５ｅ，１０５ｊ，２０５ｅとを、空間部５ｓ，１０５ｙ，２０５ｓを間に介在させることにより、半径方向に重ねて配置できるため、雌螺子部材５，１０５，２０５の全長を短くでき容器全体を短くできるという効果もある。
【０１０５】
以上、本発明をその実施形態に基づき具体的に説明したが、本発明は上記実施形態に限定されるものではなく、雄螺子、雌螺子は、間欠的に配される突起群又は螺旋状且つ間欠的に配される突起群のように螺子山と同様な働きをするものであっても良く、また、螺合突起は、連続する螺子山であっても良い。
【０１０６】
また、第一実施形態、第二実施形態、第三実施形態の移動体の各押出機構は、他の実施形態の押出機構に置き換えることができる。
【０１０７】
さらに、クリック歯は、鈍角三角形、鋭角三角形、直角三角形、二等辺三角形、半球形状等、クリック感やラチェット機能に応じて種々の形状を選択することが可能である。
【図面の簡単な説明】
【０１０８】
【図１】本発明の第一実施形態に係る塗布材押出容器の初期状態を示す縦断面図である。
【図２】図１に示す塗布材押出容器の移動体が最大に前進したときの縦断面図である。
【図３】図１及び図２中の雌螺子部材を示す斜視図である。
【図４】図３に示す雌螺子部材の縦断斜視図である。
【図５】図３に示す雌螺子部材の成形金型を成形位置にセットした状態図である。
【図６】図５の状態から成形金型を離型する様子を示す斜視図である。
【図７】本発明の第二実施形態に係る塗布材押出容器の初期状態を示す縦断面図である。
【図８】図７に示す塗布材押出容器の移動体が最大に前進したときの縦断面図である。
【図９】図７及び図８に示す塗布材押出容器の本体筒及び回転止め部材の破断分解斜視図である。
【図１０】図７及び図８に示す塗布材押出容器の本体筒及び回転止め部材の破断斜視図である。
【図１１】図７及び図８中の回転止め部材を示す斜視図である。
【図１２】図１１に示す回転止め部材の破断斜視図である。
【図１３】図７及び図８中の雌螺子部材を示す斜視図である。
【図１４】図１３に示す雌螺子部材の縦断斜視図である。
【図１５】図１３に示す雌螺子部材の破断斜視図である。
【図１６】図１３に示す雌螺子部材の左側面図である。
【図１７】図１３に示す雌螺子部材の成形金型を成形位置にセットした状態図である。
【図１８】図１７の状態から成形金型を離型する様子を示す斜視図である。
【図１９】他の回転止め部材を示す斜視図である。
【図２０】図１９に示す回転止め部材の破断正面図である。
【図２１】本発明の第三実施形態に係る塗布材押出容器の初期状態を示す縦断面図である。
【図２２】図２１に示す塗布材押出容器の移動体が最大に前進したときの縦断面図である。
【図２３】図２１及び図２２中の雌螺子部材を示す斜視図である。
【図２４】図２３に示す雌螺子部材の縦断面図である。
【符号の説明】
【０１０９】
１…本体筒（充填部材；容器前部）、２，２０２…操作筒（容器後部）、４，１０６，２０４…移動体、４ｅ，１０６ｂ，２０４ｅ…移動体の雄螺子、５，１０５，２０５…雌螺子部材、５ａ，１０５ａ，２０５ａ…外筒、５ｂ，１０５ｂ，２０５ｂ…内筒、５ｃ，１０５ｘ，２０５ｃ…雌螺子部材の連結部、５ｄ，１０５ｆ、２０５ｄ…雌螺子部材の係合部（充填部材と同期回転）、５ｅ，１０５ｊ，２０５ｅ…雌螺子部材の雌螺子、５ｎ，１０５ｎ，２０５ｎ…雌螺子部材のスリット、５ｓ，１０５ｙ，２０５ｓ…空間部、９ａ，１０４ｃ，２０１ａ…容器先端の開口、５０，１０９，２５０…螺合部、７０，１７０…第１のコアピン（雌螺子を成形するための金型）、８０，１８０…中型（空間部を成形するための金型）、１００，２００，３００…塗布材押出容器、１０１…本体筒（容器後部）、１０１ａ…回転止め部材の係合爪片、１０４，２０１…充填部材（容器前部）、１０５ｃ…雌螺子部材の係合部（回転止め部材と軸線方向係合）、１１６，１２６…回転止め部材、１１６ｋ…回転止め部材の係合部（充填部材と軸線方向係合）、１１６ｒ…回転止め部材の底部、１１６ｚ…回転止め部材の円筒部、１２６ａ…回転止め部材のスリット、１２６ｂ…回転止め部材の圧縮バネ、Ｌ，Ｍ…塗布材。
【図１】
2008246079.tif 000003
【図２】
2008246079.tif 000004
【図３】
2008246079.tif 000005
【図４】
2008246079.tif 000006
【図５】
2008246079.tif 000007
【図６】
2008246079.tif 000008
【図７】
2008246079.tif 000009
【図８】
2008246079.tif 000010
【図９】
2008246079.tif 000011
【図１０】
2008246079.tif 000012
【図１１】
2008246079.tif 000013
【図１２】
2008246079.tif 000014
【図１３】
2008246079.tif 000015
【図１４】
2008246079.tif 000016
【図１５】
2008246079.tif 000017
【図１６】
2008246079.tif 000018
【図１７】
2008246079.tif 000019
【図１８】
2008246079.tif 000020
【図１９】
2008246079.tif 000021
【図２０】
2008246079.tif 000022
【図２１】
2008246079.tif 000023
【図２２】
2008246079.tif 000024
【図２３】
2008246079.tif 000025
【図２４】
2008246079.tif 000026